(57)【要約】【課題】特に、新たな光源や駆動機構等を用いることなく簡単な構造で、従来の光源による光量を有効に利用しながら車両側方の視認性を大きく改善する。【解決手段】車両中央側に配設される第１のヘッドランプ本体３は、第１の光源７と、第１のリフレクタ８とを有し、走行ビームの際に点灯される。また、第１のヘッドランプ本体３に隣接して車両外側に配設される第２のヘッドランプ本体４は、第２の光源９と、第２のリフレクタ１０と、筒状部材１１と、投射レンズ１２とを有し、走行ビーム及びすれ違いビームの際に点灯される。筒状部材１１には、第１のヘッドランプ本体３側の側面に筒状部材１１の側方に光を投射する側部投射孔１３が形成され、第１のリフレクタ８の車両中央側縁部は前方に延出され、側部投射孔１３からの光を車両側方に向けて反射する側部投射用リフレクタ１４が形成されている。【選択図】図２
2008016296.tif 000002
【特許請求の範囲】
【請求項１】
第１の光源からの光源光を第１のリフレクタで反射して前方に投射し、走行ビームを形成する車両の中央側に配設した第１のヘッドランプ本体と、該第１のヘッドランプ本体に隣接して車両の外側に配設し、第２の光源からの光源光を第２のリフレクタで反射して筒状部材を介して前方に投射し、少なくともすれ違いビームを形成する第２のヘッドランプ本体とを備えた車両のヘッドランプにおいて、
上記筒状部材の第１のヘッドランプ本体側の側面に上記筒状部材の側方に光を投射する側部投射孔を形成すると共に、上記第１のリフレクタの車両中央側縁部を前方に延出して上記側部投射孔からの光を車両側方に向けて反射する側部投射用リフレクタを形成したことを特徴とする車両のヘッドランプ。
【請求項２】
上記側部投射孔の縁部に、上記筒状部材内の光を上記側部投射用リフレクタに指向させてガイドするガイド部を設けたことを特徴とする請求項１記載の車両のヘッドランプ。
【発明の詳細な説明】
【技術分野】
【０００１】
本発明は、車両の中央側に走行ビームの際に点灯されるヘッドランプ本体を備え、外側に走行ビーム及びすれ違いビームの際に点灯されるヘッドランプ本体を備えた４灯方式の車両のヘッドランプに関する。
【背景技術】
【０００２】
従来より、車両においては、車両の中央側に走行ビームの際に点灯されるヘッドランプ本体を備え、外側に走行ビーム及びすれ違いビームの際に点灯されるヘッドランプ本体を備えた４灯方式の車両のヘッドランプを採用するものがある。
【０００３】
例えば、特開平５−３０７９０１号公報では、走行ビームを形成するために点灯される第１のヘッドランプ本体と、走行ビーム及びすれ違いビームを形成するために点灯される第２のヘッドランプ本体を備え、第２のヘッドランプ本体に光量低減用のシェードを所定位置に設けて走行ビームの際の光量の適正化を図る技術が開示されている。
【特許文献１】特開平５−３０７９０１号公報
【発明の開示】
【発明が解決しようとする課題】
【０００４】
しかしながら、上述の特許文献１に開示されるヘッドランプでは、あくまで車両前方の視認性を向上しようとするものであり、車両側方の視認性を良好にするものではない。すなわち、特に、車両が旋回する場合等においては、旋回方向の車両側方の視認性が良好であることが求められるが、上述の特許文献１では、こうした車両側方の視認性について改善するものではない。
【０００５】
本発明は上記事情に鑑みてなされたもので、特に、新たな光源や駆動機構等を用いることなく簡単な構造で、従来の光源による光量を有効に利用しながら車両側方の視認性を大きく改善して、旋回時や障害物の飛び出し等における視認性を大きく改善することができる車両のヘッドランプを提供することを目的としている。
【課題を解決するための手段】
【０００６】
本発明は、第１の光源からの光源光を第１のリフレクタで反射して前方に投射し、走行ビームを形成する車両の中央側に配設した第１のヘッドランプ本体と、該第１のヘッドランプ本体に隣接して車両の外側に配設し、第２の光源からの光源光を第２のリフレクタで反射して筒状部材を介して前方に投射し、少なくともすれ違いビームを形成する第２のヘッドランプ本体とを備えた車両のヘッドランプにおいて、上記筒状部材の第１のヘッドランプ本体側の側面に上記筒状部材の側方に光を投射する側部投射孔を形成すると共に、上記第１のリフレクタの車両中央側縁部を前方に延出して上記側部投射孔からの光を車両側方に向けて反射する側部投射用リフレクタを形成したことを特徴としている。
【発明の効果】
【０００７】
本発明による車両のヘッドランプによれば、特に、新たな光源や駆動機構等を用いることなく簡単な構造で、従来の光源による光量を有効に利用しながら車両側方の視認性を大きく改善して、旋回時や障害物の飛び出し等における視認性を大きく改善することが可能となる。
【発明を実施するための最良の形態】
【０００８】
以下、図面に基づいて本発明の実施の形態を説明する。  
図１〜図３は本発明の実施の一形態を示し、図１は車両のフロントのヘッドランプを示す概略図、図２は左側ヘッドランプの内部構造を示す断面図、図３はヘッドランプの配光の広がりの説明図である。
【０００９】
図１において、符号１は車両を示し、この車両１のフロント左右には、それぞれヘッドランプ２Ｌ、２Ｒが設けられている。
【００１０】
ヘッドランプ２Ｌ、２Ｒは、それぞれ車両１の中央側に第１のヘッドランプ本体３が設けられており、この第１のヘッドランプ本体３に隣接して車両１の外側に第２のヘッドランプ本体４が設けられ、更に、この第２のヘッドランプ本体４の外側にはハザードランプ５が設けられて、レンズカバー６にて一体に覆われ構成されている。
【００１１】
ヘッドランプ２Ｌ、２Ｒの構造を、左側のヘッドランプ２Ｌを例に、図２で説明する。
【００１２】
車両１の中央側に配設される第１のヘッドランプ本体３は、第１の光源７と、この第１の光源７からの光を前方に反射する第１のリフレクタ８とを有して構成されており、走行ビームを形成する際に点灯される。
【００１３】
また、第１のヘッドランプ本体３に隣接して車両１の外側に配設される第２のヘッドランプ本体４は、第２の光源９と、この第２の光源９からの光を前方に反射する第２のリフレクタ１０と、第２のリフレクタ１０の前縁から前方に延出して設けた筒状部材１１と、筒状部材１１の前端に固設した投射レンズ１２とを有して構成されており、走行ビーム、及び、すれ違いビームを形成する際に点灯される。
【００１４】
そして、第２のヘッドランプ本体４の筒状部材１１には、第１のヘッドランプ本体３側の側面に筒状部材１１の側方に光を投射する略円形の側部投射孔１３が形成されている。
【００１５】
また、第１のヘッドランプ本体３の第１のリフレクタ８の車両中央側縁部は、前方に延出され、側部投射孔１３からの光を車両側方に向けて反射する側部投射用リフレクタ１４が形成されている。
【００１６】
そして、これら第１のヘッドランプ本体３、第２のヘッドランプ本体４、ハザードランプ５は、それぞれのランプ回り、及び、各ランプ間にエクステンション１５が設けられており、各ランプからの漏洩光が防止されると共に、装飾性を向上している。尚、このエクステンション１５は、上述の側部投射孔１３から側部投射用リフレクタ１４に向かう投射光を妨害しないように、第１のヘッドランプ本体３と第２のヘッドランプ本体４との間に隙間部１６が形成されている。
【００１７】
以上の如く構成されるヘッドランプ２Ｌ、２Ｒは、すれ違いビームの際は、第２のヘッドランプ本体４のみが点灯される。
【００１８】
このため、第２のヘッドランプ本体４の第２の光源９が点灯され、第２の光源９からの光は、第２のリフレクタ１０で前方に反射され、筒状部材１１、投射レンズ１２を介して前方に投射される。
【００１９】
また、筒状部材１１からは、図２の矢印で示すように、側部投射孔１３を通じて、第１のヘッドランプ本体３の側部投射用リフレクタ１４に向けて光が投射され、この光は、側部投射用リフレクタ１４で反射され、車両側方に投射される。
【００２０】
この側部投射孔１３からの光で、車両側方が照らされるため、例えば、図３の配光の広がりに示すように、ヘッドランプ２Ｌ、２Ｒの配光の広がりは、従来の広がり（図３中の破線で示す）に比べ、横を広く照らすことができる。すなわち、本実施の形態によれば、特に、新たな光源や駆動機構等を用いることなく簡単な構造で、従来の光源による光量を有効に利用しながら、車両側方の視認性を大きく改善して、旋回時や障害物の飛び出し等における視認性を大きく改善することができる。
【００２１】
一方、走行ビームの際は、上述の第２のヘッドランプ本体４に加え、第１のヘッドランプ本体３も点灯され、第１の光源７からの光は、第１のリフレクタ８で前方に反射され、前方に投射される。
【００２２】
この走行ビームの際においても、第２のヘッドランプ本体４がすれ違いビームの際と同様に点灯されるため、車両側方の視認性を大きく改善して、旋回時や障害物の飛び出し等における視認性を大きく改善することができる。
【００２３】
尚、本実施の形態においては、筒状部材１１の側部投射孔１３は、単に孔を形成するのみで構成しているが、図２の破線で示すように、側部投射孔１３の縁部に、筒状部材１１内の光を側部投射用リフレクタ１４に指向させてガイドするガイド部２０を設けるようにしても良い。
【図面の簡単な説明】
【００２４】
【図１】車両のフロントのヘッドランプを示す概略図
【図２】左側ヘッドランプの内部構造を示す断面図
【図３】ヘッドランプの配光の広がりの説明図
【符号の説明】
【００２５】
１    車両
２Ｌ、２Ｒ  ヘッドランプ
３    第１のヘッドランプ本体
４    第２のヘッドランプ本体
７    第１の光源
８    第１のリフレクタ
９    第２の光源
１０    第２のリフレクタ
１１    筒状部材
１３    側部投射孔
１４    側部投射用リフレクタ
２０    ガイド部
【図１】
2008016296.tif 000003
【図２】
2008016296.tif 000004
【図３】
2008016296.tif 000005